(57)【特許請求の範囲】
【請求項１】
所定の形状をした基体と、
前記基体に回転可能に設けられ所定ピッチの歯部を有する駆動輪と、
前記基体に回転可能に設けられた従動輪と、
前記駆動輪と前記従動輪に掛け渡され、用紙の孔に引っ掛かるピンが外周に、前駆駆動輪の歯部と噛み合う歯部が内周に設けられたベルトと、
用紙を前記ベルト側に押圧させるカバー体と、
前記基体の前記駆動輪と前記従動輪との間に設けられ前記ベルトの内周面に接触する平面を備えたガイド部材と
を備えたトラクタ・フィーダであって、
前記ガイド部材は、前記駆動輪側には前記ベルトの移動方向に対して前記ベルト側に徐々に近づく面と前記ベルト側から徐々に遠ざかる面の２面が、前記従動輪側には前記ベルトの移動方向に対してベルト側に徐々に近づく面とベルト側から徐々に遠ざかる面の２面が、それぞれ形成され、
前記駆動輪側の２面は、それぞれ円周面として形成されていると共に両円周面が一つの一様な円周面となるように連なり、
前記従動輪側の２面も、それぞれ円周面として形成されていると共に両円周面が一つの一様な円周面となるように連なり、
当該ガイド部材全体としてトラック形状に形成されていることを特徴とするトラクタ・フィーダ。
【発明の詳細な説明】
【０００１】
【発明の属する技術分野】
本発明は、プリンタに用いられるものであって用紙の孔にピンを引っかけながら用紙を送る役割をするトラクタ・フィーダに関する。さらに詳しくは、本発明は、用紙送りができなくなることを防止したトラクタ・フィーダに関する。
【０００２】
【従来の技術】
この種のプリンタは、周知のとおり、用紙に印刷する印字手段と、用紙を送る機構と、その他制御回路や電源等の部分とから構成されている。このようなプリンタにおいて、用紙を送るためにトラクタ・フィーダを用いたものがある。
【０００３】
図７は、プリンタの一例を後ろ側からみた斜視図である。この図に示すプリンタ１は、用紙に印字する印字ヘッド２と、用紙を送るとともに印字時に使用されるプラテン３と、用紙を送るトラクタ・フィーダ４と、その他制御回路や電源等の部分とから構成されている。このトラクタ・フィーダ４は、２本の平行軸５，６に移動可能に設けられており、これら軸の内の一つの軸５から回転駆動力を受けるようになっている。
【０００４】
図８は、上記従来のトラクタ・フィーダを示す側面図である。図９は同トラクタ・フィーダの要部を示す側面図である。これらの図において、トラクタ・フィーダ４は、概略次のような構成となっている。すなわち、所定の形状をした基体７には駆動輪８が回転可能に設けられており、この駆動輪８は前記軸５から駆動力を受けるようになっている。この駆動輪８の外周には、所定のピッチの歯部９が設けられている。また基体７には従動輪１０が回転可能に設けられている。この駆動輪８と前記従動輪１０にはベルト１１が掛け渡されている。このベルト１１の外周には連続用紙１２のフィード孔１３に引っ掛かるピン１４が、このベルト１１の内周には前記駆動輪８の歯部９と噛み合うピッチの歯部１５がベルトの横方向（幅方向）の全幅にわたって設けられている。
【０００５】
また、ベルト１１の図示上にはカバー体１６が設けられており、このカバー体１６によって用紙１２が前記ベルト１１側に押圧されている。また、前記基体７の前記駆動輪８と前記従動輪１０との間には、ガイド部材１７が設けられている。このガイド部材１７には、前記ベルト１１の内周面の歯部１５が接触する平坦面１７ｈを備えており、この平坦面１７ｈにより前記ベルト１１の落ち込みを防止している。さらに、前記駆動輪８と前記従動輪１０とベルト１１とを設けた前記基体７に掛止体１８を固定することにより、これら部材は前記基体７に掛かり止められるようになっている。
【０００６】
このような構造のトラクタ・フィーダ４を備えたプリンタ１において、連続用紙１２は、プリンタ１のトラクタ・フィーダ４のピン１４に用紙の孔１３をひっかけられ、プリンタ１のプラテン３を経由し印字ヘッド２により印字されあるいは印字されることなくプリンタ１から送り出されてくる。
【０００７】
【発明が解決しようとする課題】
ところで、上述したトラクタ・フィーダ４の場合、厚い連続用紙１２が入るなどの原因により、図９の矢印Ｆに示すように、当該ベルト１１が押下されて、当該ベルト１１の歯部１５がガイド部材１７の突出部１７ｐに当たって引っかかりベルト１１がロックし、紙送りができなくなってしまうという問題があった。
【０００８】
この問題を解決するために、上記ガイド部材１７を無くしたり、あるいは、ベルト１１の歯部１５とガイド部材１７の平坦面１７ｈとの距離をとると、ベルト１１が押されて該ベルト１１のピン１４が連続用紙１２のフィード孔１３から外れてしまって、やはり連続用紙１２を送れないという問題があった。
【０００９】
本発明の課題は、上述した従来技術の問題を解決し、連続用紙を確実に送ることができるようにしたトラクタ・フィーダを提供することにある。
【００１０】
【課題を解決するための手段】
上記目的を達成するために、請求項１記載の発明に係るトラクタ・フィーダは、所定の形状をした基体と、前記基体に回転可能に設けられ所定のピッチの歯部を有する駆動輪と、前記基体に回転可能に設けられた従動輪と、前記駆動輪と前記従動輪に掛け渡され、用紙の孔に引っ掛かるピンが外周に、前記駆動輪の歯部と噛み合う歯部が内周に設けられたベルトと、用紙を前記ベルト側に押圧させるカバー体と、前記基体の前記駆動輪と前記従動輪との間に設けられ前記ベルトの内周面に接触する平面を備えたガイド部材とを備えたトラクタ・フィーダであって、前記ガイド部材は、前記駆動輪側には前記ベルトの移動方向に対して前記ベルト側に徐々に近づく面と前記ベルト側から徐々に遠ざかる面の２面が、前記従動輪側には前記ベルトの移動方向に対してベルト側に徐々に近づく面とベルト側から徐々に遠ざかる面の２面が、それぞれ形成され、前記駆動輪側の２面は、それぞれ円周面として形成されていると共に両円周面が一つの一様な円周面となるように連なり、前記従動輪側の２面も、それぞれ円周面として形成されていると共に両円周面が一つの一様な円周面となるように連なり、当該ガイド部材全体としてトラック形状に形成されていることを特徴とするものである。
【００１１】
請求項１記載の発明によれば、前記駆動輪及び前記従動輪の側のガイド部材のベルトをロックさせる可能性のあった部分が線対称な円周面に形成されているため、ベルトの歯部が引っ掛かることがなく、且つ、その形状が線対称に形成されているのでベルトの進行方向を気にする必要がない。
【００１２】
また、ベルトの内周の歯部がガイド部材の平坦部を引っかかり無く摺動することになることから、ベルトが押されてもベルトが撓むことがなく、ベルトのピンが用紙のフィード孔から外れることがなく、確実に用紙を送ることができる。
【００１９】
【発明の実施の形態】
以下、本発明の実施の形態を図面を参照して説明する。図１乃至図５は本発明の第１の実施の形態に係るトラクタ・フィーダを説明するための図である。ここで、図１は同第１の実施の形態に係るトラクタ・フィーダを示す斜視図である。図２は同第１の実施の形態において基体から掛止体及びカバー体を外した状態を示す斜視図である。図３は図１のＡ−Ａ線に沿う拡大断面図である。図４は同第１の実施の形態の分解斜視図である。図５は同第１の実施の形態の要部を示す側面図である。
【００２０】
これらの図に示す実施の形態に係るトラクタ・フィーダ４Ａが従来のトラクタ・フィーダ４と異なるところは、前記ガイド部材１７Ａの形状を前記ベルト１１がロックしないようにし、かつ、ベルト１１が撓まないような形状に形成した点にある。したがって、従来のトラクタ・フィーダ４と同一構成要素には同一の符号を付して説明する。本実施の形態に係るトラクタ・フィーダ４Ａは次のように構成されている。
【００２１】
すなわち、基体７Ａは、プラスチック等の材料により板体２０と、この板体２０の一端側に当該板体２０と直角に形成された紙摺動面２１とから形成されている。この板体２０には駆動軸受２２が設けられており、この軸受２２から一定距離離れた板体２０の位置に中空円柱状の従動軸２３が一体成形により設けられている。また、前記基体７Ａの前記駆動軸受２２と前記従動軸２３との間には、ガイド部材１７Ａが一体成形により設けられている。ガイド部材１７Ａには、ねじ孔２４が設けられており、かつ、そのねじ孔２４の図示上下に位置決穴２５、２６が設けられている。
【００２２】
前記ガイド部材１７Ａの駆動輪８側には、図５に示すように、前記ベルト１１の移動方向Ｘに対して前記ベルト１１側に徐々に近づく斜面２７と、前記ベルト１１側から徐々に遠ざかる斜面２８とが形成されている。また、前記ガイド部材１７Ａの従動輪１０側には、前記ベルト１１の移動方向Ｘに対してベルト１１側に徐々に近づく斜面２９と、ベルト１１側から徐々に遠ざかる斜面３０とが形成されている。
【００２３】
前記駆動輪８は、歯部９が設けられている回転体３１と、この回転体３１の両側に設けられた駆動軸３２とから構成されており、この駆動軸３２に四角形の孔Ｈｒが穿設されている。この駆動軸３２の一方は、基体７Ａの駆動軸受２２に回動可能に嵌入されている。前記従動輪１０は円環状に形成されており、この従動輪１０が基体７Ａの従動軸２３に回動可能に嵌められている。前記駆動輪８と前記従動輪１０にはベルト１１が掛け渡されている。
【００２４】
また、掛止体１８は、プラスチック等の材料で所定の形状の板体５０に形成してあり、この板体５０の一方の面に基体７Ａの位置決穴２５、２６に嵌まり合う突起（図示せず）が設けられており、且つ、板体５０には、従動軸２３が嵌入される従動軸受３３、係合用のねじ３４が差し込まれる係合孔３５、駆動輪８の駆動軸３２が嵌入される駆動軸受３８が穿設されている。この掛止体１８の板体５０の他の面には、カバー体１６の係合軸３６が係合される係合軸受３７が設けられている。この掛止体１８の位置決め用の係合突起を基体７Ａのガイド部材１７Ａの位置決穴２５、２６に嵌入するとともに、従動軸受３３に従動軸２３を、駆動軸受３８に駆動輪８の駆動軸３２をそれぞれ嵌入し、ねじ３４を係合孔３５から挿入してガイド部材１７Ａのねじ孔２４にねじ込むことにより、掛止体１８を基体７Ａに固定する。
【００２５】
また、この掛止体１８の駆動軸受３７には、カバー体１６の係合軸３６を係合し、該カバー体１６を紙摺動面２１側に倒したり、起立させたりすることができるようになっている。
【００２６】
このように第１の実施の形態のトラクタ・フィーダ４Ａは、ベルト１１の歯部１５がロックされる部分に斜面２８，…，３０が形成されているので、ベルトロックが発生せずに、確実に用紙を送ることができる。
【００２７】
また、この第１の実施の形態によれば、ベルト１１の内周の歯部１５がガイド部材１７Ａの平坦部１７ｈを引っかかり無く摺動することになることから、ベルト１１が押されてもベルト１１が撓むことがなく、ベルト１１のピン１４が連続用紙１２のフィード孔１３から外れることがなく、確実に用紙を送ることができる。
【００２８】
さらに、上記第１の実施の形態では、ベルト１１の歯部１５がロックされる部分が単純な斜面２８，…，３０で構成されているので、このガイド部材１７Ａを形成することが製造的に簡単であり、かつ、駆動輪８及び従動輪１０側にそれぞれ斜面２８，…，３０が形成されているので、ベルト１１の駆動方向を変えてもベルトロックが発生しないようにすることができる。
【００２９】
図６は、本発明の第２の実施の形態を示す図である。この図６に示す第２の実施の形態に係るトラクタ・フィーダ４Ｂが第１の実施の形態に係るトラクタ・フィーダ４Ａと異なるところは、ガイド部材１７Ｂの形状にある。すなわち、第１の実施の形態は基体７Ａにおけるガイド部材１７Ａに斜面２８，…，３０を設けたのに対して、第２の実施の形態は、このガイド部材１７Ａに設けた斜面２８，…，３０に代えて、前記ガイド部材１７Ｂの前記駆動輪８及び従動輪１０の側に形成された面を、前記ベルト１１の移動方向Ｙに対して、前記ベルト１１側に徐々に近づく円周面４０，４１と、前記ベルト１１側から徐々に遠ざかる円周面４２，４３とを、それぞれ形成したものであり、他の構成は第１の実施の形態と同一である。したがって、第２の実施の形態において、第１の実施の形態と同一部材には、同一の符号を付して説明を省略する。このような第２の実施の形態によっても、第１の実施の形態と同一作用効果を奏する。
【００３０】
なお、上記第１の実施の形態あるいは第２の実施の形態において、更に、このベルトの内周面に、ベルトの横断面において、かつベルトの中央部に略ベルトから離れるに従って狭まる台形状をした歯部を設け、ガイド部材１７Ａ、１７Ｂに、前記台形状の歯部が嵌まり合う案内溝を形成し、このガイド部材１７Ａ，１７Ｂの案内溝には、ベルトの歯部を嵌め、ベルトの歯部の両側の平坦部を案内溝の両端縁面を摺動するようにした第３の実施の形態に係るトラクタ・フィーダ（図示せず）によれば、例えば、厚い連続用紙が入ってきたり、連続用紙のミシン目部分が入ってきても、ガイド部材１７Ａ，１７Ｂには案内溝が形成されていてベルトの歯部に当接するような部材が無いことから、ベルトロックが発生せず、確実に用紙を送ることができる。
【００３１】
また、上記第３の実施の形態に係るトラクタ・フィーダにあっては、ベルトの歯部の両側の平坦部がガイド部材１７Ａ，１７Ｂの案内溝の両端縁面を摺動することから、ベルトのピンが連続用紙の孔から抜けることがなく、確実に用紙を送ることができる。
【００３２】
以上説明したように本発明によれば、前記駆動輪及び前記従動輪の側のガイド部材のベルトをロックさせる可能性のあった部分が線対称な円周面に形成されているため、ベルトの歯部が引っ掛かることがなく、且つ、その形状が線対称に形成されているのでベルトの進行方向を気にする必要がない。
【００３３】
また、本発明によれは、ベルトの内周の歯部がガイド部材の平坦部を摺動することになることから、ベルトが押されたもベルトが撓むことがなく、ベルトのピンが用紙のフィード孔から外れることがなく、確実に用紙を送ることができる。
【図面の簡単な説明】
【図１】トラクタ・フィーダを示す斜視図である。
【図２】図１において基体から掛止体及びカバー体を外した状態を示す斜視図。
【図３】図１のＡ−Ａ線に沿う拡大断面図である。
【図４】図１の分解斜視図である。
【図５】図１の要部を示す側面図である。
【図６】本発明の実施の形態を示す図である。
【図７】プリンタを示す斜視図である。
【図８】従来のトラクタ・フィーダの構成例を示す側面図である。
【図９】従来のトラクタ・フィーダの欠点を説明するための図である。
【符号の説明】
４Ａ，４Ｂ  トラクタ・フィーダ、  ７Ａ  基体、  ８  駆動輪、  ９  歯部、
１０  従動輪、  １１  ベルト、  １２  連続用紙、  １３  孔、  １４  ピン、
１５  歯部、  １６  カバー体、  １７Ａ，１７Ｂ  ガイド部材、
２７，２８，２９，３０  斜面、  ４０，４１，４２，４３  円周面
【図１】
0003565007.tif 000002
【図２】
0003565007.tif 000003
【図３】
0003565007.tif 000004
【図４】
0003565007.tif 000005
【図５】
0003565007.tif 000006
【図６】
0003565007.tif 000007
【図７】
0003565007.tif 000008
【図８】
0003565007.tif 000009
【図９】
0003565007.tif 000010